(57)【要約】【課題】  ホックが取り付けられた箇所の近傍及び寝具出し入れ口の周縁部の破損及び変形を低減又は防止することができる寝具収納袋を提供する。【解決手段】  寝具出し入れ口を有する、第一の合成樹脂フィルムからなる袋体と、前記袋体に取り付けられた嵌脱自在な少なくとも一組のホックとを備えてなり、前記ホックは、前記寝具出し入れ口を形成する前記第一の合成樹脂フィルムの端部が上下に重ね合わさるように止めてなり、前記ホックが取り付けられた箇所の近傍は、第二の合成樹脂フィルムの小片が前記第一の合成樹脂フィルムに溶着又は接着されることにより、より肉厚に形成されてなり、前記袋体の少なくとも前記寝具出し入れ口の周縁部は、不織布又は第三の合成樹脂フィルムが前記第一の合成樹脂フィルムに縫製されることにより引裂強度が高められてなる寝具収納袋。【選択図】  図１
2006335441.tif 000002
【特許請求の範囲】
【請求項１】
寝具出し入れ口を有する、第一の合成樹脂フィルムからなる袋体と、前記袋体に取り付けられた嵌脱自在な少なくとも一組のホックとを備えてなり、
前記ホックは、前記寝具出し入れ口を形成する前記第一の合成樹脂フィルムの端部が上下に重ね合わさるように止めてなり、
前記ホックが取り付けられた箇所の近傍は、第二の合成樹脂フィルムの小片が前記第一の合成樹脂フィルムに溶着又は接着されることにより、より肉厚に形成されてなり、
前記袋体の少なくとも前記寝具出し入れ口の周縁部は、不織布又は第三の合成樹脂フィルムが前記第一の合成樹脂フィルムに縫製されることにより引裂強度が高められてなる、ことを特徴とする寝具収納袋。
【発明の詳細な説明】
【技術分野】
【０００１】
本発明は寝具収納袋、更に詳しくは、布団、毛布、タオルケット、シーツ、枕等の寝具を出し入れ可能に収納し、且つ寝具出し入れ口をホックで止めることができる寝具収納袋に関するものである。
【背景技術】
【０００２】
布団、毛布などのいわゆる寝具類は、通常、少なくとも一部が透明又は半透明の合成樹脂フィルムからなる寝具収納袋内に収納された後、流通され、保管され、又は店頭にて展示・販売される。寝具類は就寝時に人の肌に直接触れる商品であるため、購入時の品質の検討において、外観（例えば、色や模様）に加え、とりわけ接触感や弾力感を、手で触ることにより確認し得ることが求められる。
【０００３】
寝具類の接触感や弾力感は、寝具収納袋の上からでは確認できないか又は十分な確認が困難であるので、通常、寝具収納袋の寝具出し入れ口から寝具類を取り出した後、指で触り又は押して確認する。このため、寝具収納袋は、袋体に寝具を出し入れ可能な寝具出し入れ口を設けると共に、該寝具出し入れ口を容易に開封することができる構造のものであることが好ましい。
【０００４】
寝具収納袋の寝具出し入れ口を開封可能にするためには、例えば、ホック、ファスナー、粘着テープ等の開封具を前記寝具出し入れ口に設ける必要がある。種々の開封具のなかでも、ホックは、設置場所が少なくて済み、また開封が容易であるため、寝具収納袋用の開封具として広く使用されている。
【０００５】
図３に従来の寝具収納袋の一例の斜視図を示す。袋体１は透明な合成樹脂フィルム製で、上面２、下面３、頂面４、底面５、右側面６及び左側面７の合計６面を有し、内部に寝具を収納した状態で全体がほぼ直方体の形状となるように形成されている。上面２は更に、上面２ａと上面２ｂの二つの合成樹脂フィルムからなり、上面２ａと上面２ｂとの間の寝具出し入れ口８から寝具を出し入れすることができる。また、上面２ａと上面２ｂは、重ね合わせ部９にて、上面２ｂの端部上に上面２ａの端部を重ね合わせることができるように構成されている。
【０００６】
上面２ａと上面２ｂは、上下二つで一組となる合成樹脂製のホック１０及びホック１１により互いに止め合わされる。図４（Ａ）は、図３のＡ−Ａ線に沿った断面図である。ホック１０はホック１０ａとホック１０ｂからなり、ホック１０ａの凹部１２にホック１０ｂの凸部１３を嵌着することにより、袋体１の上面２ａと上面２ｂを止め合わせることができる。
【０００７】
ホック１０ａにホック１０ｂを嵌着させるためには、例えば、ホック１０ａ近傍の上面２ａを左手の親指と人指し指で、ホック１０ｂ近傍の上面２ｂを右手指の親指と人指し指で、それぞれ摘まみ、ホック１０ａとホック１０ｂとを互いに押しつけて嵌着させることが必要となる。それ故、ホック１０ａとホック１０ｂとの嵌着時に、ホック１０ａ近傍の上面２ａとホック１０ｂ近傍の上面２ｂの合成樹脂フィルムに、該フィルムを引き延ばすような力が加わる。
反対に、ホック１０ａからホック１０ｂを脱着させるためには、前記と同様に、ホック１０ａ近傍の上面２ａを左手の親指と人指し指で、ホック１０ｂ近傍の上面２ｂを右手指の親指と人指し指で、それぞれ摘まみ、ホック１０ａとホック１０ｂとを互いに引き離すように、上面２ａと上面２ｂの合成樹脂フィルムに指で力を加える必要がある。一般に、
ホック１０ａとホック１０ｂとの嵌着時よりも脱着時のほうが、袋体１を形成する合成樹脂フィルムにより大きな力が加わると考えられる。
【０００８】
従って、ホック１０ａとホック１０ｂとの嵌着時及び／又は脱着時に、とりわけ脱着時に、ホック１０ａ及び／又はホック１０ｂの近傍の合成樹脂フィルムが引き延ばされて変形し易い。
前記変形を防止するため、従来は、上面２ａの合成樹脂フィルムを折り返し部１４で、同様に、上面２ｂの合成樹脂フィルムを折り返し部１５で、それぞれ内側に折り返してフィルムを二重に重ね合わせることにより、重ね合わせ部９に対応する部分の厚さを二倍とし、ホック１０ａ及びホック１０ｂの近傍の合成樹脂フィルムの強度を増加させていた。
【０００９】
図３の接合部１６及び接合部１７においては、上面２ａ（折り返し部１４で折り返えされて二重となっている）、上面２ｂ（折り返し部１５で折り返えされて二重となっている）及び底面５が積層され接合されている。図４（Ｂ）は、図３のＢ−Ｂ線（重ね合わせ部９の中央部に沿っている）に沿った断面図である。図４（Ｂ）において、底面５の端部、上面２ａの端部（上側の２層）及び上面２ｂの端部（下側の２層）は積層され、更に適する縫合フィルム１８（袋体１の合成樹脂フィルムと同一であってもよいし、又は、異なっていてもよい）で上部及び下部を覆われ、縫合糸１９により縫合される。
接合部１６及び接合部１７は、図３の袋体１において寝具を出し入れするとき寝具出し入れ口８を大きく開く際に力が加わる部分でもあるので、縫合フィルム１８は、この部分を補強する役割も果している。
【発明の開示】
【発明が解決しようとする課題】
【００１０】
しかしながら、図３の従来の寝具収納袋では、以下に例示するような問題がある。
１）図４（Ａ）に示されるように、折り返し部１４及び折り返し部１５で合成樹脂フィルムを折り返す作業工程が必要となり、作業効率が低下すると共に、折り返す分、合成樹脂フィルムをより多く必要とするので、とりわけ多量に生産する場合、生産コストを増加させる。
２）上面２ａ及び上面２ｂの合成樹脂フィルムの、重ね合わせ部９に対応する端部全体が折り返されるので、ホックが取り付けられた箇所の近傍以外の、強度を向上させることを要しない箇所の合成樹脂フィルムまでが二重に重なることとなり、合成樹脂フィルムが無駄に消費されると共に、折り返し部１４及び折り返し部１５の外観もすっきりせず、好ましくない。
３）図４（Ｂ）に示される縫合フィルム１８は、図４（Ａ）に示される折り返し端２０及び折り返し端２１には設けられていない。それ故、図３の接合部１６において、上面２ａ、上面２ｂ及び底面５は、一枚の縫合フィルム１８で端部を覆い、縫合糸１９により縫合されているのみなので、とりわけ、図３のポイント２２〜２５（寝具収納袋の開封時に引き裂くような力がかかる箇所）における結合強度が充分でなく、寝具収納の開封時に、ポイント２２〜２５で、袋体１が引き裂かれ、破損する可能性があった。
【課題を解決するための手段】
【００１１】
本発明は前記従来技術の問題点を解決するためのものであり、その目的とするところは、寝具収納袋におけるホック取り付け箇所の近傍の袋体の強度を増加させると共に、寝具収納袋の寝具出し入れ口の周縁部の袋体の引裂強度を高め、従来の寝具収納袋に比べて、寝具を出し入れする時の破損及び変形が起こり難い、又は前記破損及び変形を防止し得る寝具収納袋を提供することにある。
【００１２】
即ち、本発明の寝具収納袋は、
寝具出し入れ口を有する、第一の合成樹脂フィルムからなる袋体と、前記袋体に取り付
けられた嵌脱自在な少なくとも一組のホックとを備えてなり、
前記ホックは、前記寝具出し入れ口を形成する前記第一の合成樹脂フィルムの端部が上下に重ね合わさるように止めてなり、
前記ホックが取り付けられた箇所の近傍は、第二の合成樹脂フィルムの小片が前記第一の合成樹脂フィルムに溶着又は接着されることにより、より肉厚に形成されてなり、
前記袋体の少なくとも前記寝具出し入れ口の周縁部は、不織布又は第三の合成樹脂フィルムが前記第一の合成樹脂フィルムに縫製されることにより引裂強度が高められてなる、ことを特徴とする寝具収納袋。
【発明の効果】
【００１３】
本発明の寝具収納袋は、ホック取り付け箇所の近傍の強度が増加されているので、ホックの嵌着又は脱着時に、ホック取り付け箇所の近傍の寝具収納袋の破損及び変形を低減又は防止することができる。また、本発明の寝具収納袋は、寝具出し入れ口の周縁部の引裂強度が高められているので、寝具出し入れ口から寝具を出し入れする際に、寝具出し入れ口の破損及び変形を低減又は防止することができる。
【発明を実施するための最良の形態】
【００１４】
図１に本発明の寝具収納袋の一例の斜視図を示す。袋体２６は合成樹脂フィルム製である。本例では袋体２６用として透明な合成樹脂フィルムを用いた。前記合成樹脂フィルムは透明であるものの他、半透明又は不透明なものであってよいが、収納した寝具の外観を目視により容易に確認することができるように、袋体２６の一部又は全部を透明又は半透明とすることが好ましい。
前記合成樹脂フィルムとして、本例では低密度ポリエチレン製のフィルムを用いた。袋体２６の材料としては、同種分野で通常使用される合成樹脂、例えば、ポリオレフィン、例えば低密度ポリエチレン、中密度ポリエチレン、高密度ポリエチレン、ポリプロピレン、ポリエステル、ポリアミド、又はポリ塩化ビニル等を単独又は組み合わせて使用することができる。
前記合成樹脂フィルムの厚さは、合成樹脂の種類、収納する寝具の種類や重量等を考慮して適宜選択する。
【００１５】
袋体２６は、上面２７、下面２８、頂面２９、底面３０、右側面３１及び左側面３２の合計６面を有し、内部に寝具を収納した状態で全体がほぼ直方体の形状となるように形成されている。袋体２６の大きさや形状は特に限定されないので、内部に収納する寝具の大きさや形状に応じて、最適の大きさや形状を適宜選択する。
上面２７は更に、上面２７ａと上面２７ｂの二つの合成樹脂フィルムからなり、上面２７ａと上面２７ｂとの間の寝具出し入れ口３３から寝具を出し入れすることができる。また、上面２７ａと上面２７ｂは、重ね合わせ部３４にて、上面２７ｂの端部上に上面２７ａの端部を重ね合わせることができるように構成されている。
重ね合わせ部３４の幅は、袋体２６の外部のほこり等が寝具出し入れ口３３から袋体２６の内部に入り込まないように、また袋体２６の大きさや形状に応じて適宜選択し得るが、例えば１ｃｍ〜３０ｃｍ、例えば３ｃｍ〜１０ｃｍである。
【００１６】
袋体２６の何れか一面又は二面以上に、袋体２６内に収納した寝具の種類、生産地等を意味する種々の文字（例えば「・・・の毛布」などの文字）、図形、記号、模様、標識、登録商標等を、所望の色で又は複数の色を組み合わせて表示してもよい。
【００１７】
上面２７ａと上面２７ｂは、上下二つで一組となる合成樹脂製のホック３５及びホック３６により互いに止め合わされる。ホック３５及び３６の材料としては、ホック材料としては、金属又は、通常使用される合成樹脂、例えば、ポリプロピレン、ポリカーボネート、ＡＢＳ樹脂等を使用することができる。合成樹脂製のホックが好ましい。本例では、ポ
リカーボネート製のホック３５及びホック３６を用いた。
【００１８】
ホック３５が取り付けられる箇所の近傍には強化フィルム３７を、また、ホック３６が取り付けられる箇所の近傍には強化フィルム３８を、それぞれ、袋体２６の合成樹脂フィルムに溶着又は接着することにより貼着し、ホック取り付け部分の近傍の厚さを増加させている。強化フィルム３７及び強化フィルム３８の材料は、強化フィルム３７及び強化フィルム３８と袋体２６の合成樹脂フィルムとを強固に貼着し得るものであればよい。それ故、強化フィルム３７及び強化フィルム３８の材料は、袋体２６用の合成樹脂と同一であっても異なっていてもよい。
【００１９】
強化フィルム３７及び強化フィルム３８は、上面２７ａ及び上面２７ｂの表面及び／又は裏面に貼着することができる。強化フィルム３７及び強化フィルム３８を上面２７ａ及び上面２７ｂの裏面側に貼着するのが、袋体２６の外見上好ましい。
強化フィルム３７及び強化フィルム３８の厚さ及び貼着する枚数は、袋体２６用の合成樹脂フィルムの種類及び厚さ、強化フィルム３７及び強化フィルム３８の種類及び厚さ、強化すべき部位に望まれる強度等を考慮して適宜選択する。例えば、袋体２６用の合成樹脂フィルムと同一材料で同一厚さの強化フィルム３７及び強化フィルム３８を貼着すると、ホック取り付け部分の近傍の厚さは２倍となり、強度も２倍となる。
強化フィルム３７及び強化フィルム３８の大きさや形状は、袋体２６の強化すべき部位の範囲を考慮して適宜選択するが、通常、小片状、例えば矩形状、円形状、楕円形状等の強化フィルム３７及び強化フィルム３８を、ホック３５又はホック３６を中心として、それらの周囲２〜３ｃｍ程度の範囲を強化し得るように選択する。
【００２０】
図２（Ａ）は、図１のＡ−Ａ線に沿った断面図である。ホック３５はホック３５ａとホック３５ｂからなり、ホック３５ａの凹部３９にホック３５ｂの凸部４０を嵌着することにより、袋体２６の上面２７ａと上面２７ｂを止め合わせることができる。ホック３５ａを取り付けた箇所の近傍は、上面２７ａの合成樹脂フィルムの下部側に強化フィルム３７が貼着（本例では溶着）されて強度が向上しており、上面２７ｂの合成樹脂フィルムの下部側に強化フィルム３８が貼着（本例では溶着）されて強度が向上している。
また、上面２７ａの端部（図中、左側）は、適する縫合不織布４１（縫合不織布４１の材料は、袋体２６の合成樹脂フィルムと同一であってもよいし、又は、異なっていてもよい）で上部及び下部を覆われ、縫合糸４２により縫合されて強度が向上している。同様に、上面２７ａの端部（図中、右側）は、適する縫合不織布４３で上部及び下部を覆われ、縫合糸４４により縫合されて強度が向上している。縫合不織布の代わりに縫合フィルムを使用してもよい。
【００２１】
図２（Ｂ）は、図１のＢ−Ｂ線（重ね合わせ部３４の中央部に沿っている）に沿った断面図である。図２（Ｂ）において、底面３０の端部、上面２７ａの端部及び上面２７ｂの端部は積層され、更に適する縫合不織布４５（縫合不織布４５の材料は、袋体２６の合成樹脂フィルムと同一であってもよいし、又は、異なっていてもよい）で上部及び下部を覆われ、縫合糸４６により縫合されている。縫合不織布の代わりに縫合フィルムを使用してもよい。
図１の接合部４７及び接合部４８においては、上面２７ａ、上面２７ｂ及び底面３０が積層され接合されているが、接合部４７の両端（ポイント４９及びポイント５０）においては、縫合不織布４１と縫合不織布４５とが重ね合わせられて、また接合部４８の両端（ポイント５１及びポイント５２）においては、縫合不織布４３と縫合不織布４５とが重ね合わせられて、縫合されている。従って、ポイント４９〜５２は充分に引裂強度が向上しているので、例えば、図１の袋体２６において寝具を出し入れするとき寝具出し入れ口２３を大きく開く際に力が加わっても、ポイント４９〜５２の部分に亀裂や破損は生じない。
【図面の簡単な説明】
【００２２】
【図１】本発明の寝具収納袋の一例の斜視図である。
【図２】図１の寝具収納袋のＡ−Ａ線に沿った断面図［図２（Ａ）］及びＢ−Ｂ線に沿った断面図［図２（Ｂ）］である。
【図３】従来の寝具収納袋の一例の斜視図である。
【図４】図３の寝具収納袋のＡ−Ａ線に沿った断面図［図４（Ａ）］及びＢ−Ｂ線に沿った断面図［図４（Ｂ）］である。
【符号の説明】
【００２３】
１，２６：袋体
２，２ａ，２ｂ，２７ａ，２７ｂ：上面
３，２８：下面
４，２９：頂面
５，３０：底面
６，３１：右側面
７，３２：左側面
８，３３：寝具出し入れ口
９，３４：重ね合わせ部
１０，１０ａ，１０ｂ，１１，３５，３５ａ，３５ｂ，３６：ホック
１２，３９：凹部
１３，４０：凸部
１４，１５：折り返し部
１６，１７，４７，４８：接合部
１８：縫合フィルム
１９，４２，４４，４６：縫合糸
２０，２１：折り返し端
２２，２３，２４，２５，４９，５０，５１，５２：ポイント
３７，３８：強化フィルム
４１，４３，４５：縫合不織布
【図１】
2006335441.tif 000003
【図２】
2006335441.tif 000004
【図３】
2006335441.tif 000005
【図４】
2006335441.tif 000006